(57)【要約】【課題】陳列する商品の形状や数量にかかわらず常にボリューム感を与えて商品を乱すことなく陳列することのでき、かつ、陳列台の見栄えがよく衛生的である商品陳列台を提供する提供する。【解決手段】この商品陳列台は、水平面と非水平面とからなる少なくとも３つのＬ字状の単位段差部を階段状に連続させた陳列面を有する商品陳列部と、少なくとも第１の係止部と第２の係止部とを有する少なくとも１枚の仕切板とを含み、前記商品陳列部は、少なくとも、前記単位段差部の１つの水平面に前記単位段差部が連続する方向に伸びる複数の第１の溝と、前記単位段差部の他の水平面に前記単位段差部が連続する方向に伸びる複数の第２の溝とを有し、該第２の溝は、前記第１の溝とそれぞれが対応しており、前記仕切板の前記第１の係止部は前記第１の溝の１つに、前記仕切板の前記第２の係止部は前記第１の溝に対応した前記第２の溝にそれぞれ受け入れられている。【選択図】図１
0003141388.tif 000002
【実用新案登録請求の範囲】
【請求項１】
水平面と非水平面とからなる少なくとも３つのＬ字状の単位段差部を階段状に連続させた陳列面を有する商品陳列部と、
少なくとも第１の係止部と第２の係止部とを有する少なくとも１つの仕切板とを含み、
前記商品陳列部は、少なくとも、前記単位段差部の１つの水平面に前記単位段差部が連続する方向に伸びる複数の第１の溝と、前記単位段差部の他の水平面に前記単位段差部が連続する方向に伸びる複数の第２の溝とを有し、各第２の溝のそれぞれは、前記第１の溝と対応しており、
前記仕切板の前記第１の係止部は前記第１の溝の１つに、前記仕切板の前記第２の係止部は前記第１の溝に対応した前記第２の溝にそれぞれ受け入れられている、商品陳列台。
【請求項２】
水平面と非水平面とからなる少なくとも３つのＬ字状の単位段差部を階段状に連続させた陳列面を有する商品陳列部と、
一端部に第１の係止片を有し、他端部に第２の係止片を有する少なくとも１枚の仕切板とを含み、
前記商品陳列部は、その最上方に位置する前記単位段差部の前記水平面に、前記単位段差部が連続する方向に伸びる複数の第１の溝を有し、該第１の溝は、前記単位段差部が連続する方向と直交する方向に等間隔で設けられており、
また前記商品陳列部は、その最下方に位置する前記単位段差部の前記水平面に、前記単位段差部が連続する方向に伸びる複数の第２の溝を有し、各第２の溝のそれぞれは、前記第１の溝と対応して、前記単位段差部が連続する方向と直交する方向に等間隔で設けられており、
前記仕切板の前記第１の係止片は前記第１の溝の１つに、前記仕切板の前記第２の係止片は前記第１の溝に対応した前記第２の溝にそれぞれ受け入れられている、商品陳列台。
【請求項３】
前記商品陳列部は、前記陳列面のうち最下方に位置する前記単位段差部の前記水平面を含む補助台部と、前記最下方に位置する前記単位段差部の前記水平面以外の前記陳列面を含む基台部とからなり、
前記補助台部は、前記基台部に対し、前記単位段差部の非水平面と直交する方向にスライド可能に設けられている、請求項１または２に記載の商品陳列台。
【請求項４】
前記商品陳列部は、該商品陳列部の内部に収納可能であり、かつ、前記単位段差部の前記水平面が水平になるよう前記商品陳列部を支持することができる脚部を有する、請求項１ないし３のいずれか一項に記載の商品陳列台。
【請求項５】
前記商品陳列部は、前記単位段差部が互いに接する線上に設けられた転倒可能な板を有する、請求項１ないし４のいずれか一項に記載の商品陳列台。
【請求項６】
前記商品陳列部は、前記単位段差部の前記水平面に、前記単位段差部が連続する方向と直交する方向に伸びる少なくとも１つの凹部を有する、請求項１ないし５のいずれか一項に記載の商品陳列台。
【考案の詳細な説明】
【技術分野】
【０００１】
本考案は、スーパーや百貨店などの店内で商品を陳列するために用いられる商品陳列台に関し、特に陳列する商品の形状や数量にかかわらず常にボリューム感を与えて陳列することのできる商品陳列台に関する。
【背景技術】
【０００２】
商品にボリューム感を与えた陳列を実現できる商品陳列台として特許文献１に示されるものが知られている。
【０００３】
この商品陳列台には、仕切板を差し込む多数の溝がそれぞれの段において等間隔に設けられている。商品が順次売れて数量が少なくなり、商品自体が散在する場合には、仕切板同士の間隔を狭めるよう仕切板を適当な位置に移動させることができるので、少量となった商品を集めた状態で陳列でき、商品の陳列にボリューム感を与えることができる。
【考案の開示】
【考案が解決しようとする課題】
【０００４】
しかしながら、前記商品陳列台には、商品を陳列する全ての段部に溝が多数設けられているため、商品数が少ない場合に溝が目立ち、陳列台の見栄えが良くないという問題がある。
【０００５】
また、溝の数が多いと仕切板が差し込まれない状態で使用される溝も増える。このような溝はゴミがたまり易く、衛生的でないという問題がある。
【０００６】
そこで、本考案は、陳列する商品の形状や数量にかかわらず常にボリューム感を与えて商品を乱すことなく陳列することのでき、かつ、陳列台の見栄えがよく衛生的である商品陳列台を提供することを目的とする。
【０００７】
また、本考案の他の目的は、商品陳列台を設置する面が平面である場合も、傾斜面である場合にも使用できる商品陳列台を提供することにある。
【特許文献１】特開２００５−１５２３８９号公報
【課題を解決するための手段】
【０００８】
本考案に係る商品陳列台は、水平面と非水平面とからなる少なくとも３つのＬ字状の単位段差部を階段状に連続させた陳列面を有する商品陳列部と、少なくとも第１の係止部と第２の係止部とを有する少なくとも１枚の仕切板とを含み、前記商品陳列部は、少なくとも、前記単位段差部の１つの水平面に前記単位段差部が連続する方向に伸びる複数の第１の溝と、前記単位段差部の他の水平面に前記単位段差部が連続する方向に伸びる複数の第２の溝とを有し、該第２の溝は、前記第１の溝とそれぞれが対応しており、前記仕切板の前記第１の係止部は前記第１の溝の１つに、前記仕切板の前記第２の係止部は前記第１の溝に対応した前記第２の溝にそれぞれ受け入れられている。
【０００９】
また、商品陳列台は、水平面と非水平面とからなる少なくとも３つのＬ字状の単位段差部を階段状に連続させた陳列面を有する商品陳列部と、一端部に第１の係止片を有し、他端部に第２の係止片を有する少なくとも１枚の仕切板とを含み、前記商品陳列部は、その最上方に位置する前記単位段差部の前記水平面に、前記単位段差部が連続する方向に伸びる複数の第１の溝を有し、該第１の溝は、前記単位段差部が連続する方向と直交する方向に等間隔で設けられており、また前記商品陳列部は、その最下方に位置する前記単位段差部の前記水平面に、前記単位段差部が連続する方向に伸びる複数の第２の溝を有し、該第２の溝は、前記第１の溝とそれぞれが対応して、前記単位段差部が連続する方向と直交する方向に等間隔で設けられており、前記仕切板の前記第１の係止片は前記第１の溝の１つに、前記仕切板の前記第２の係止片は前記第１の溝に対応した前記第２の溝にそれぞれ受け入れられているとすることもできる。
【００１０】
前記商品陳列部は、前記陳列面のうち最下方に位置する前記単位段差部の前記水平面を含む補助台部と、前記最下方に位置する前記単位段差部の前記水平面以外の前記陳列面を含む基台部とからなり、前記補助台部は、前記基台部に対し、前記単位段差部の非水平面と直交する方向にスライド可能に設けることができる。
【００１１】
また、前記商品陳列部は、該商品陳列部の内部に収納可能であり、かつ、前記単位段差部の前記水平面が水平になるよう前記商品陳列部を支持することができる脚部を有することができる。
【００１２】
前記商品陳列部は、前記単位段差部が互いに接する線上に設けられた転倒可能な板を有することができる。
【００１３】
前記商品陳列部は、前記単位段差部の前記水平面に、前記単位段差部が連続する方向と直交する方向に伸びる少なくとも１つの凹部を有することができる。
【考案の効果】
【００１４】
本考案に係る商品陳列台によれば、前記のように、最上方に位置する単位段差部の水平面に、前記単位段差部が連続する方向に伸びる複数の第１の溝と、最下方に位置する前記単位段差部の前記水平面に、前記単位段差部が連続する方向に伸びる第２の溝とが設けられており、これ以外の前記単位段差部の前記水平面や前記非水平面には溝は設けられていないため、見栄えが良くなるり、同時に、衛生的な商品陳列台とすることができる。
【００１５】
また仕切板の第１および第２の係止片が第１および第２の溝にそれぞれ受け入れられているので、陳列商品が陳列台から抜き取られる際にも、仕切板自体が移動することがないので、周辺の陳列商品は乱されるおそれがない。
【００１６】
また、補助台部は、基台部に対し、前記単位段差部の非水平面と直交する方向にスライド可能に設けることにより、陳列面の奥行き長さを調整できるので、設置面の奥行きに合わせた陳列台を提供することができ、同時に、形状の異なる商品の陳列に使用する場合にもボリューム感を与えることができる。
【００１７】
また、単位段差部の水平面が水平になるよう前記商品陳列部を支持することができる脚部を有しているので、平面状の載置面に商品陳列台を設置することができる。さらに、前記脚部は商品陳列部の内部に収納可能なので、傾斜している載置面にも商品陳列台を設置することもでき、本考案に係る商品陳列台は載置面の形状を選ばずに使用することができる。
【考案を実施するための最良の形態】
【００１８】
以下、本考案の実施例を図面を参照して詳細に説明する。本明細書において、「水平」および「非水平」は、商品陳列台を設置した状態での方向を示す。また、「非水平」とは、垂直を含む水平でない方向へ傾いている状態を意味する。
【００１９】
図１から図４は、本考案の第１実施例を示し、図１は商品陳列台の斜視図、図２は図１に示す商品陳列台の分解斜視図である。
【００２０】
商品陳列台２は、階段状の陳列面４と側面６とを有する商品陳列部８と、仕切板１０と、脚部１２とからなる。仕切板１０は、陳列面４に差し込まれ陳列商品を左右に区画する。脚部１２は、商品陳列部８の側面６に設けられている。
【００２１】
商品陳列部８の商品陳列面４は、図３に示されるように、側面形状が階段状をなしており、階段を構成する各単位段差部１４は水平面１６と非水平面１８とをそれぞれ有する。
【００２２】
また、商品陳列面４のうち、最上方に位置する単位段差部１４の水平面１６に、第１の溝２０が複数本設けられている。
【００２３】
さらに、前記商品陳列面のうち、最下方に位置する単位段差部１４の水平面１６には、第２の溝２２が第１の溝２０に対応して複数本も設けられている。
【００２４】
仕切板１０は弓形を呈し、一端に第１の係止片２４を他端に第２の係止片２６をそれぞれ有している。第１の係止片２４を商品陳列部８の第１の溝２０に、第２の係止片２６を第２の溝２２に係合させることで、仕切板を商品陳列部に設置することができる。
【００２５】
第１の係止片２４には、Ｕ字形状の切り込み２４ａが設けられている。また、第１の係止片２４の表面には、それぞれの切り込みに対応して２つの突起２８ａが設けられており、この突起が仕切板を第１の溝に係合させている。
【００２６】
本実施例において、切り込み２４ａおよび突起２８は第１の係止片２４にのみ設けられているが、必要に応じて第２の係止片２６にも設けることができる。
【００２７】
商品陳列部８は、図２に示されるように、商品陳列面４のうち最下方に位置する単位段差部の水平面を含む補助台部３０と、残りの商品陳列面を含む基台部３２とからなる。
【００２８】
補助台部３０は、基台部３２に対して前後方向にスライド可能に設けられている。補助台部３０の側面には、鉛直方向に２つの溝（３６ａ、３６ｂ）が切られており、基台部３２には、前記溝に差し込まれる係合片３４が基台部３２の側面の前方端に設けられている。
【００２９】
基台部３２の係合片３４を２つの前記溝のうち、いずれか１つに差し込むことにより、補助台部３４が基台部３２に対して固定される。
【００３０】
図３は、本実施例における商品陳列台の補助台部３０のスライドを説明する側面図であり、補助台部３０を基台部３２に対してスライドさせ前の状態（Ａ）と、スライドさせた後の状態（Ｂ）とを並べて示している。
【００３１】
補助台部３０の基台部３２に対する固定をみるに、（Ａ）において係合片３４は、係合溝３６ａに差し込まれ、（Ｂ）においては係合溝３６ｂに差し込まれる。また、仕切板１０の商品陳列部８に対する取付をみるに、第２の係止片２６はスライドの前（Ａ）後（Ｂ）ともに、第２の溝２２に定位置で差し込まれたままであるが、第１の係止片２４は、突起２４ａが第１の溝内で係合位置を非水平面１８側から板３８側へ移動させている。
【００３２】
このように本考案に係る商品陳列台の補助台部３０のスライドは、係合片３４の差し込み位置と第１の係止片２４の係合位置とを変更するだけで作業は完了する。スライドにより商品陳列面の水平面はαの長さ分だけ伸び、新しい外観の商品陳列台が創り出されるが、この長さに対応した新たな仕切板１０は必要としない。
【００３３】
さらに、単位段差部１４が互いに接する線上には転倒可能な板３８が設けられている。板３８を起立させた状態で商品陳列台を使用すれば、単位段差部１４に陳列された商品が水平面１６から転がり落ちるのを防ぐことができる。板３８を転倒させた状態で商品陳列台を使用すれば、図４に示すように、複数の単位段差部１４を跨いで長尺状の商品を陳列することが可能となる。また、図５に示すように水平面１６の奥行き以上の長さを有する大型の商品を各単位段差部１４に載置することも可能となる。
【００３４】
板３８の単位段差部１４への取り付け方法としては、公知の方法が適用できる。例えば、板３８の両側部の下端から突出する軸部と、該軸部を回転可能に支持する軸受部を側面６の内面側に設け、両者を取り付けることができる。
【００３５】
単位段差部１４の水平面１６には、単位段差部が連続する方向と直交する方向に伸びる凹部４０が設けられている。図６に示されるように、パック物など薄い板状の商品の角部を凹部４０に嵌め込むことにより、商品を起立させて陳列することができる。
【００３６】
水平面１６上に設けた凹部４０は、商品を起立させることができるものであればいずれの形状でもよく、例えば、図７（Ａ）に示されるように、凹部４０に換えて、単位段差部が連続する方向と直交する方向に伸びる段差を設けたり、図７（Ｂ）に示されるように、水平面１６上に突出片を適宜設けてもよい。
【００３７】
脚部１２は、商品陳列面をなす単位段差部の水平面が水平を保つよう商品陳列部を支持することができる棒状部材であり、前記商品陳列部の内部に設けられているリブや前記商品陳列部の側面に取り付けられている。脚部１２で商品陳列台を支持することにより、単位段差部の水平面が水平を保つよう、脚部の取付角度や長さが設計されている。商品陳列台の載置面が予め傾斜している場合など、脚部１２で前記商品陳列部を支持する必要がないときは、前記商品陳列部の内部に収納しておくことが可能となるよう、回転自在もしくは取外自在に構成されている。
【００３８】
脚部１２は、本実施例で示した棒状部材の他、伸縮自在な筒状部材とすることもできるし、図８に示すようなコ字状の部材とすることもできる。
【００３９】
以上のように、本考案に係る商品陳列台よれば、補助台部３０のスライド、板３８の転倒、および凹部４０を活用することで、商品の形状や大きさに応じた適切な陳列を実現できる。また、仕切板１０の設置位置を変えることにより、商品の数量にかかわらずボリューム感のある陳列を実現できる。仕切板１０が差し込まれる溝の設置場所も限定されているので、見栄えがよく衛生的である。さらに、商品陳列部に収納することが可能な脚部１２を備えているので、平面上にも傾斜面上にも商品陳列台を載置することができるという効果を有する。
【００４０】
本実施例では、両端部に係止片が設けられた弓形の仕切板１０について説明したが、仕切板１０の形状は、陳列面に設けられる溝の数を減少させることのできるものであればいずれの形でもよい。例えば図９に示される形状の仕切板１０が変形例として採用できる。この変形例では、最上方に位置する単位段差部の非水平面、真ん中に位置する単位段差部の水平面、最下方に位置する単位段差部の水平面および非水平面に溝が設けられており、この溝に仕切板１０が差し込まれている。
【００４１】
図１０は、仕切板１０のさらなる変形例をスライドさせた前後の状態で示す側面図である。仕切板１０は弓形を呈し、第１の係止片２４には、２つのＵ字形状の切り込み（２４ａ、２４ｂ）が設けられている。また、第１の係止片２４の表面には、それぞれの切り込みに対応して２つの突起（２８ａ、２８ｂ）が設けられており、この突起が仕切板を第１の溝に係合させている。
【００４２】
この変形例では、商品陳列面４のうち、最上方に位置する単位段差部１４の水平面１６とこの水平面１６に連続する一段下の単位段差部１４の非水平面１８に渡って、第１の溝２０が複数本設けられている。また、前記商品陳列面のうち、最下方に位置する単位段差部１４の水平面１６には、第２の溝２２が第１の溝２０に対応して複数本も設けられている。
【００４３】
前記２つの突起は、仕切板の長さ方向にずれた位置に設けられており、スライド前後の商品陳列面の長さに応じて第１の溝に係合させる突起が選択される。
【００４４】
図１１は、本考案の第２実施例である商品陳列台４２を側面図で示したものである。第１実施例と同一の構成部材には、同一の符号を付してある。第１実施例と第２実施例とは、商品陳列部８の側面形状が異なっている。また、商品陳列台４２は脚部１２を有しておらず構造が簡素化されている。
【００４５】
商品陳列台を載置する面が平面に限定されている場合には、このように脚部を除き簡素化された商品陳列台４２を使用することも可能である。
【００４６】
以上、本考案の商品陳列台について、その実施例に基づいて説明したが、本考案は上記実施例に記載した構成に限定されるものでなく、その趣旨を逸脱しない範囲において適宜その構成を変更できるものである。
【図面の簡単な説明】
【００４７】
【図１】本考案に係る商品陳列台の第１実施例を示す斜視図。
【図２】図１に示した商品陳列台の分解斜視図。
【図３】図１に示した商品陳列台および補助台部をスライドさせた状態で示す側面図。
【図４】図１に示した商品陳列台に長尺状商品を載置した状態で示す側面図。
【図５】図１に示した商品陳列台に大型商品を載置した状態で示す側面図。
【図６】図１に示した商品陳列台にパック物商品を載置した状態で示す側面図。
【図７】図１に示した商品陳列台における水平面の変形例を示す側面図。
【図８】図１に示した商品陳列台における脚部の変形例を示す側面図。
【図９】図１に示した商品陳列台における仕切板の変形例を示す側面図。
【図１０】図１に示した商品陳列台における仕切板のさらなる変形例を示す側面図。
【図１１】本考案に係る商品陳列台の第２実施例を示す側面図。
【符号の説明】
【００４８】
２        商品陳列台
４        商品陳列面
８        商品陳列部
１０      仕切板
１２      脚部
１４      単位段差部
１６      水平面
１８      非水平面
２０      第１の溝
２２      第２の溝
２４      第１の係止片
２６      第２の係止片
３０      補助台部
３２      基台部
３８      板
４０      凹部
４２      商品陳列台
【図１】
0003141388.tif 000003
【図２】
0003141388.tif 000004
【図３】
0003141388.tif 000005
【図４】
0003141388.tif 000006
【図５】
0003141388.tif 000007
【図６】
0003141388.tif 000008
【図７】
0003141388.tif 000009
【図８】
0003141388.tif 000010
【図９】
0003141388.tif 000011
【図１０】
0003141388.tif 000012
【図１１】
0003141388.tif 000013